(57)【要約】      （修正有）【課題】体に点在するツボや広範囲の体表面を艾による温熱によってまんべんなく刺激することができるローラー式温灸具を提供する。【解決手段】体表面に沿って転動可能な筒状のローラー部１０と、このローラー部の端面開口部を塞ぐ蓋部と、この蓋部から延びる軸体３３を支持する把持部２０とを有し、ローラー部内に、着火された艾を収容すると共に、蓋部に通気穴を形成する。これにより、艾の燃焼によって温められたローラー部が体表面を転動することによって、体に点在するツボや広範囲の体表面を艾による温熱によってまんべんなく刺激することができる。【選択図】図１
0003185216.tif 000002
【実用新案登録請求の範囲】
【請求項１】
体表面に沿って転動可能な筒状のローラー部と、当該ローラー部の端面開口部を塞ぐ蓋部と、当該蓋部から延びる軸体を支持する把持部とを有し、
前記ローラー部内に、着火された艾を収容すると共に、前記蓋部に通気穴を形成したことを特徴とするローラー式温灸具。
【請求項２】
請求項１に記載のローラー式温灸具において、
前記ローラー部を竹材で形成したことを特徴とするローラー式温灸具。
【請求項３】
請求項１または２に記載のローラー式温灸具において、
前記蓋部の全部または一部を金網で形成したことを特徴とするローラー式温灸具。
【請求項４】
請求項１乃至３のいずれかに記載のローラー式温灸具において、
前記蓋部の軸体を前記ローラー部の内部と連通する中空管で形成すると共に、前記把持部に、前記中空管に空気を送り込むポンプ機能を備えたことを特徴とするローラー式温灸具。
【請求項５】
請求項４に記載のローラー式温灸具において、
前記把持部を、前記中空管と連通する収縮自在な中空部材で形成したことを特徴とするローラー式温灸具。
【請求項６】
請求項１乃至５のいずれかに記載のローラー式温灸具において、
前記ローラー部を複数備えたことを特徴とするローラー式温灸具。
【考案の詳細な説明】
【技術分野】
【０００１】
本考案は、体に点在するツボを温熱で刺激して血行をよくして自律神経のバランスを整えることができるローラー式温灸具に関する。
【背景技術】
【０００２】
お灸は、体に点在するツボを温熱で刺激して血行をよくして自律神経のバランスを整え、人間の持っている自然治癒力を高める働きがあるとされている。これは、艾(もぐさ)を燃焼させて経穴(ツボ)に刺激を加えることで病気を治そうとする施術の１つであるが、手指を用いる一般の手技療法では施術者の疲労が多く、高齢の施術者には困難が伴う。
【０００３】
そのため、例えば以下の特許文献１では、内部に空洞が形成されたほぼ半球形状の押圧外面を有する押圧部と、この押圧部に連結された柄部と、前記空洞と押圧外面に明けられた複数の貫通孔と、前記空洞と背面の境界に形成された嵌込部と、この嵌込部に嵌め込まれる艾取付用台座とからなる温灸具を提案している。
【０００４】
また、以下の特許文献２では、温度変化により抵抗値が増減して電流を制御することができるように、高分子マトリクス中にカーボンブラックなどの導電性フィラーを分散して作成された面状発熱体と、この面状発熱体に電圧を加えるために接続される電源と、この面状発熱体を外皮する外皮部材と、この外皮部材を支持する支持アームとを備え、前記外皮部材の表面に複数の突起を形成してなる温熱ツボ押圧具を提案している。
【先行技術文献】
【特許文献】
【０００５】
【特許文献１】特開平９−３８１７１号公報
【特許文献２】特開平１０−９９４０８号公報
【考案の概要】
【考案が解決しようとする課題】
【０００６】
しかしながら、前記特許文献１に示すような温灸具では、体に点在するツボを温熱で刺激することは可能であるが、そのツボを含めた複数のツボや広範囲の体表面をまんべんなく温熱で刺激することは難しい。一方前記特許文献２に示すような温熱ツボ押圧具では、広範囲の体表面を温熱で刺激することは可能であるが、艾を用いた本物のお灸独特の雰囲気や治療効果を期待することはできない。
【０００７】
そこで、本考案はこれらの課題を解決するために案出されたものであり、その目的は、体に点在するツボや広範囲の体表面を艾による温熱によってまんべんなく刺激することができる新規なローラー式温灸具を提供するものである。
【課題を解決するための手段】
【０００８】
前記目的を達成するために第１の考案は、体表面に沿って転動可能な筒状のローラー部と、当該ローラー部の端面開口部を塞ぐ蓋部と、当該蓋部から延びる軸体を支持する把持部とを有し、前記ローラー部内に、着火された艾を収容すると共に、前記蓋部に通気穴を形成したことを特徴とするローラー式温灸具である。
【０００９】
このような構成によれば、艾の燃焼によって内側から温められたローラー部が体表面を転動することによって、体に点在するツボや広範囲の体表面を艾による温熱によってまんべんなく刺激することができる。そして、このローラー部の開口部を塞ぐ蓋部には通気穴が形成されているため、外気（燃焼空気）がこの通気穴を通ってローラー部内に流れ込むと共に、ローラー部内で燃焼している艾の煙がこの通気穴を通って外に流れ出すことになる。これによって、艾特有の燃焼熱が長時間安定して得られると共に、艾が燃える臭いが周囲に立ち込めるため、お灸独特の雰囲気を醸し出すことができる。
【００１０】
第２の考案は第１の考案において、前記ローラー部を竹材で形成したことを特徴とするローラー式温灸具である。このように構成すれば、施術時に竹材特有の感触や臭いが得られるため、患者に対するリラックス効果などのような相乗効果が期待できる。
【００１１】
第３の考案は、第１または第２の考案において、前記蓋部の全部または一部を金網で形成したことを特徴とするローラー式温灸具である。このような構成によれば、ローラー部内外の通気を確実に行うことができると共に、優れた耐久性および耐熱性を発揮できる。また、その編み目を細かくすれば、優れた通気性を確保しつつ、ローラー部内の艾やその燃焼灰の漏れなども確実に防止できる。
【００１２】
第４の考案は、第１乃至３のいずれかの考案において、前記蓋部の軸体を前記ローラー部内と連通する中空管で形成すると共に、前記把持部に、前記中空管に空気を送り込むポンプ機能を備えたことを特徴とするローラー式温灸具である。このような構成によれば、ポンプ部から軸体を介してローラー部内に空気を積極的に送り込むことができる。これによって、任意のタイミングでローラー部内の艾の燃焼を促進して必要な燃焼熱や煙などを発生させることができる。
【００１３】
第５の考案は、第１乃至第３のいずれかの考案において、前記把持部を、前記中空管と連通する収縮自在な中空部材で形成したことを特徴とするローラー式温灸具である。このような構成によれば、ローラー部を支持する把持部を片手で握り潰すようにするだけでローラー部を操作しつつその内部に必要な燃焼空気を軸体を介して送り込むことができる。
【００１４】
第６の考案は、第１乃至第５のいずれかの考案において、前記ローラー部を複数備えたことを特徴とするローラー式温灸具である。このような構成によれば、体表面のより広い範囲を効率良く刺激することができる。
【考案の効果】
【００１５】
本考案のローラー式温灸具によれば、艾の燃焼によって内側から温められたローラー部が体表面を転動することによって、体に点在するツボや広範囲の体表面を艾による温熱によってまんべんなく刺激することができる。また、このローラー部の開口部を塞ぐ蓋部には通気穴が形成されているため、外気がこの通気穴を通ってローラー部内に流れ込むと共に、ローラー部内で燃焼している艾の煙がこの通気部を通って外に流れ出すことになる。これによって、艾特有の燃焼熱が長時間安定して得られると共に、艾が燃える臭いが周囲に立ち込めるため、お灸独特の雰囲気を醸し出すことができる。
【図面の簡単な説明】
【００１６】
【図１】本考案に係るローラー式温灸具１００の実施の一形態を示す正面図である。
【図２】（Ａ）は図１に示すローラー式温灸具１００その左側面図、（Ｂ）はその右側面図である。
【図３】（Ａ）は図１中Ａ−Ａ線矢視図、（Ｂ）は蓋部３０を外した状態を示す左側面図である。
【図４】（Ａ）は図１中Ｂ−Ｂ線矢視図、（Ｂ）は蓋部３０を外した状態を示す右側面図である。
【図５】ローラー部１０の内部構造を示す一部破断正面図である。
【図６】（Ａ）は一方の支持体２２を回動させた状態を示す説明図、（Ｂ）はローラー部１０を把持部２０から取り外した状態を示す説明図である。
【図７】（Ａ）はローラー部１０から一方の蓋部３０を取り外した状態を示す説明図、（Ｂ）はローラー部１０内に艾Ｓを投入している状態を示す説明図である。
【図８】本考案に係るローラー式温灸具１００の他の実施形態を示す分解図である。
【図９】本考案に係るローラー式温灸具１００の他の実施形態を示す説明図である。
【図１０】本考案に係るローラー式温灸具１００の他の実施形態を示す一部断面図である。
【図１１】図１０に示すローラー式温灸具１００の他の実施の形態を示す断面図である。
【図１２】本考案に係るローラー式温灸具１００の他の実施形態を示す平面図である。
【図１３】本考案に係るローラー式温灸具１００の他の実施形態を示す側面図である。
【図１４】本考案に係るローラー式温灸具１００の他の実施形態を示す平面図である。
【図１５】図１４に示すローラー式温灸具１００の使用例を示す側面図である。
【図１６】図１４に示すローラー式温灸具１００の他の実施形態を示す側面図である。
【考案を実施するための形態】
【００１７】
以下、本考案の実施の形態を添付図面を参照しながら説明する。図１は本考案に係るローラー式温灸具１００の実施の一形態を示す正面図、図２（Ａ）はその左側面図、図２（Ｂ）はその右側面図、図３（Ａ）は図１中Ａ−Ａ線矢視図、図４（Ａ）は図１中Ｂ−Ｂ線矢視図である。図示するように、このローラー式温灸具１００は、体表面に沿って転動可能な筒状のローラー部１０と、このローラー部１０を支持するための把持部２０とから主に構成されている。
【００１８】
ローラー部１０は、その長さが例えば数ｃｍ〜十数ｃｍ、外径が数ｃｍの竹材からなる筒状体となっており、図３および図４に示すように、その両端開口部１１，１１には、これを塞ぐための蓋部３０がそれぞれ着脱自在に設けられている。なお、このローラー部１０は、竹材などの天然材料からなることから、その断面は真円とは限らず、例えば図３および図４に示すような歪んだ円形（楕円形）のような場合であっても良い。また、その外径も必ずしも均一である必要はなく、例えば図８に示すように節を有する場合には、その部分が他よりも太く（径大）なっていても良い。
【００１９】
この蓋部３０は、金属などの耐熱性材料からなっており、図３（Ａ）、図４（Ａ）および図５に示すようにローラー部１０の開口部１１の内側に密に嵌め込まれるようにその内周に沿って延びる外枠体３１と、この外枠体３１の内側を径方向に支持する十字形の内枠体３２と、この内枠体３２の中心部から軸方向に延びる軸体３３とから構成されている。そして、この外枠体３１と内枠体３２との間には、複数（本実施の形態では４つ）の通気穴３４，３４，３４，３４が形成されており、これら通気穴３４，３４，３４，３４は、それぞれ編み目の細かい金網３４ａ，３４ａ，３４ａ，３４ａで覆われている。
【００２０】
一方、把持部２０は、図１および図２に示すように施術者が片手で握ることができる程度の大きさを有する棒状の把持部本体２１と、この把持部本体２１の両端部から同方向に平行に延びる一対の支持体２２，２２とから構成されており、この支持体２２，２２先端の各貫通孔２２ａ，２２ａに、前記蓋部３０、３０の軸体３３、３３をそれぞれ貫通するように取り付けることでローラー部１０を転動自在に支持するようになっている。
【００２１】
そして、この支持体２２，２２のうち、少なくとも一方は、把持部本体２１から分離可能になっている。すなわち、図１および図２に示すように一方の支持体２２（図１中右側）は、ヒンジ部材２３を介して把持部本体２１に取り付けられており、図中破線で示すようにこのヒンジ部材２３を軸として一方の支持体２２が、把持部本体２１に対してほぼ直角状態から外側に回動自在になっている。
【００２２】
また、図２（Ｂ）に示すようにこのヒンジ部材２３が設けられている把持部本体２１の端部には、ストッパ部材２４が設けられており、このストッパ部材２４をその取付軸２４ａを中心に回動することで、分離可能な一方の支持体２２を固定または回動可能とするようになっている。すなわち、同図に示すように、ストッパ部材２４の先端側をヒンジ部材２３を介して支持体２２の外側に位置するように回動させると、このストッパ部材２４の内面と支持体２２の外面が干渉して把持部本体２１に対するこの支持体２２の直角状態が維持されて固定状態とされるが、このストッパ部材２４の先端側を支持体２２の外面側から外れるように回動させると、支持体２２の固定状態が解除されて把持部本体２１に対する直角状態からヒンジ部材２３を軸として外側に回動可能となる。なお、このストッパ部材２４は、把持部本体２１の端部から突出しないように、この把持部本体２１の端部から支持体２２の外面に亘って形成された溝２５内に位置するように設けられている。
【００２３】
次に、このような構成をした本考案に係るローラー式温灸具１００の作用を説明する。先ず、図６（Ａ）および（Ｂ）に示すように前述したストッパ部材２４を解除し、一方の支持体２２を外側に回動させてローラー部１０を把持部２０から分離する。次に、図７（Ａ）に示すように、このローラー部１０の一方の蓋部３０を取り外してその開口部１１を開口してから、同図（Ｂ）に示すようにその開口部１１から適量の艾Ｓをその内部に投入する。その後、図示しない着火部材（ライターなど）でローラー部１０内の艾Ｓに着火した後、その開口部１１に再び蓋部３０を取り付けてその開口部１１を塞ぐ。なお、このようにローラー部１０内に艾Ｓを投入してからその艾Ｓを着火する他に、予め着火した艾Ｓをローラー部１０内に投入するようにしても良い。また、この蓋部３０の脱着作業は、その軸体３３を把持することで容易に行うことができる。
【００２４】
このようにして着火した艾Ｓを収容したローラー部１０を、図６とは逆の手順で把持部２０に取り付けてストッパ部材２４を固定する。これによって、ローラー部１０が把持部２０から外れることがなく、確実かつ転動可能に取り付けられる。そして、このローラー部１０内の艾Ｓの燃焼熱により、徐々にローラー部１０がその内部から表面に亘って加熱されるため、施術者はその温度が適温になったところでこの把持部２０を握ってそのローラー部１０を患者の任意の体表面にあてがい、そのローラー部１０を体表面に沿って任意の速度で転動させることで体に点在するツボや広範囲の体表面を艾Ｓによる温熱によってまんべんなく刺激することができる。
【００２５】
また、このローラー部１０の開口部１１を閉じる蓋部３０には通気穴３４が複数形成されているため、図３乃至図５に示すように外気（燃焼空気）がこの通気穴３４を通ってローラー部１０内にスムーズに流れ込むと共に、ローラー部１０内で燃焼している艾Ｓの煙がこの通気穴３４を通って外にスムーズに流れ出すことになる。これによって、艾Ｓ特有の燃焼熱が長時間安定して得られると共に、艾Ｓが燃える臭いが周囲に立ち込めるため、お灸独特の雰囲気を醸し出すことができ、所望の治療効果が期待できる。また、ローラー部１０を竹材で構成することにより、竹材特有の感触や臭いなどが得られるため、患者に対するリラックス効果などのような相乗効果が期待できる
【００２６】
また、この蓋部３０の通気穴３４は金網３４ａで覆われているため、十分な換気面積を保ちつつ、治療中にローラー部１０内部の艾Ｓがここから外部に出てきてしまうような事態も確実に回避できる。なお、転動速度によってはローラー部１０の伴って内部の艾Ｓがその内壁面に沿って移動するため、蓋部３０の通気穴３４を蓋部３０の周辺部ではなく軸体３３近傍に設ければ、艾Ｓやこの燃えかすなどがこの通気穴３４から外部に出てきてしまうような事態をより確実に回避できる。また、治療中はローラー部１０の転動によりその内部の艾Ｓは一箇所にとどまる時間が短いため、その燃焼熱によってローラー部１０内が焦げたり燃えたりする可能性は小さい。さらに、ローラー部１０を転動させることにより、内部の艾Ｓもその内壁に沿って動くため、ローラー部１０全体を均一に加熱することが可能となる。
【００２７】
そして、このようにして本考案のローラー式温灸具１００による温熱治療が終了したならば、図６および図７に示したように、このローラー部１０を把持部２０から取り外し、一方の蓋部３０を外してその開口部１１から内部の燃えかすを排出した後、新しい艾Ｓを投入して着火すれば引き続き前記のような温熱治療を継続することができる。
【００２８】
なお、本実施の形態では、ローラー部１０の両端開口部１１，１１にそれぞれ蓋部３０を脱着自在に設けた例で示したが、この蓋部３０、３０の一方を固定し、いずれか一方のみを脱着自在にしても良い。また、ローラー部１０を竹材で形成したが、セラミック材や金属あるいは耐熱性樹脂や木材などであっても良く、また、その表面は必ずしも滑らかである必要はなく、適当な凹凸や溝などを設けても良い。
【００２９】
また、図８に示すように、蓋部３０、３０同士を内筒３５で連結すると共に、その内筒３５に開閉扉３６を形成して、この開閉扉３６から艾Ｓを出し入れするようにしても良い。この内筒３５としては、艾Ｓの燃焼熱をローラー部１０に確実に伝達し、かつその燃焼熱に耐え得るような材料であれば良く、例えば金属板や金網などで構成することが望ましい。さらに、この蓋部３０、３０の軸体３３，３３同士を連結して一体化すれば、ローラー部１０を一対の蓋部３０、３０によってしっかりと支持できるため、より強度を向上させることが可能となる。
【００３０】
次に、図９乃至図１６は本考案に係るローラー式温灸具１００の他の実施形態を示したものである。先ず、図９は前述した一方の蓋部３０の軸体３３を延長してその軸体３３に把持部２０を設けたものである。このような構成によれば、その把持部２０を施術者が把持し、ローラー部１０を患者の体表面にあてがった状態で図示矢印方向に転動させれば、前述と同様な作用・効果を発揮することができる。
【００３１】
図１０は、図９に示したような構成をさらに発展させたものであり、把持部２０を取り付けた軸体３３を、ローラー部１０の内部と連通する多孔性の中空管で形成すると共に、その把持部２０に、空気を送り込むポンプ機能を備えたものである。すなわち、この把持部２０は、ゴムや樹脂などの可撓性材料からなる内部中空の部材に逆止弁２５を設けてなるものであり、施術者が手で強く握ると縮んでその内容積が減少して内部の空気が軸体３３から排気される。そして、反対にこの把持部２０を握るのを緩めると逆止弁２５が開いて外気が把持部２０内に流入してきて把持部２０がスムーズに元の形状（円筒状）に戻るような性質を有している。
【００３２】
このような構成によれば、施術者がこの把持部２０を片手で強く握るだけで把持部２０から軸体３３を介してローラー部１０内に積極的に燃焼空気を送り込むことができるため、ローラー部１０を操作（転動）しつつ、任意のタイミングでローラー部１０内の艾Ｓの燃焼を促進して必要な燃焼熱や煙などを容易に発生させることができる。なお、図中２６，２６は、軸体３３を把持部２０で支持するための軸受である。また、この逆止弁２５を省略した構成であっても良い。
【００３３】
また、図１１に示すように、この軸体３３の先端をさらにローラー部１０の先端まで延ばすと共に、その途中に噴出穴３３ａを等間隔に多数形成し、これら各噴出穴３３ａからローラー部１０内に空気を噴出するようにしても良い。このような構成にすれば、ローラー部１０内の艾Ｓに対して燃焼空気を均一に吹き付けることができるため効率的な燃焼が可能となると共に、軸体３３をローラー部１０の両端２箇所で支持できるため、強度がより向上する。
【００３４】
また、図１２に示すようにローラー部１０を１組の支持体２２，２２に対して複数備えれば、体表面のより広い範囲をより効率良く刺激することができる。さらに、この把持部２０に棒状の握り部（柄）４０を連結し、この握り部４０を施術者が握って操作するようにしても良い。さらに、図１３に示すように支持体２２，２２を２組以上設け、それぞれにローラー部１０を取り付けるようにしても良い。
【００３５】
また、図１４および図１５に示すように、上方が開口した矩形状の箱体５０にローラー部１０を複数（本実施の形態では３つ）並列に配置し、その軸体３３よりも上側を枠体５０の縁部よりも突出するように構成しても良い。このような構成をした本考案に係るローラー式温灸具１００の場合は、前述した各実施形態のように手で持って操作するのではなく、図１５に示すように床面や台上に置いてその上に患者の足をのせてローラー部１０が転動するように患者自ら足を前後に動かすことで足裏のツボを含めた全体をまんべんなく温熱刺激することができる。
【００３６】
このような構成にすれば、患者が椅子などに座った状態で患者自らのペースで無理なく施術することができる。また、図１５の例では、各ローラー部１０が配置された上面が、椅子などに座った患者側に向くように斜めに傾斜するように形成しているが、図１６に示すように各ローラー部１０を水平に配置するようにしても良い。なお、図１４に示すように、矩形状の箱体５０のうち、各ローラー部１０の一端の軸体３３を軸支する一方の側板５１をヒンジ部材２３を介して回動自在に取り付け、その端部を固定用フック部材５２で横板５３に脱着自在にすれば、各ローラー部１０の脱着を容易に行うことができる。
【００３７】
また、ローラー部１０の熱源として艾Ｓと共に、あるいは艾Ｓに代えて金属や液体の蓄熱材やヒーターなどの発熱体などを用いても良い。また、十分な強度が得られるのであれば、蓋部３０全体を金網状部材で形成しても良い。
【符号の説明】
【００３８】
１００…ローラー式温灸具
１０…ローラー部
１１…開口部
２０…把持部
２１…把持部本体
２２…支持体
２２ａ…軸孔
２３…ヒンジ部材
２４…ストッパ部材
２５…逆止弁
３０…蓋部
３１…外枠体
３２…中枠体
３３…軸体
３３ａ…噴出穴
３４…通気穴
３４ａ…金網
４０…握り部
５０…内筒
Ｓ…艾
【図１】
0003185216.tif 000003
【図２】
0003185216.tif 000004
【図３】
0003185216.tif 000005
【図４】
0003185216.tif 000006
【図５】
0003185216.tif 000007
【図６】
0003185216.tif 000008
【図７】
0003185216.tif 000009
【図８】
0003185216.tif 000010
【図９】
0003185216.tif 000011
【図１０】
0003185216.tif 000012
【図１１】
0003185216.tif 000013
【図１２】
0003185216.tif 000014
【図１３】
0003185216.tif 000015
【図１４】
0003185216.tif 000016
【図１５】
0003185216.tif 000017
【図１６】
0003185216.tif 000018